(57)【要約】      （修正有）【課題】スリット部が上方に開口していても液体の進入による不具合が生じない火力調節装置を提供する。【解決手段】ニードル弁３を挟んでスリット部４３の下方に位置するようにケーシング４を貫通するドレン部４４を設け、ニードル部３に進入した煮こぼれ等の液体がドレン部４４からケーシング４外に流出するようにした。【選択図】図１
2010203656.tif 000002
【特許請求の範囲】
【請求項１】
ガスバーナへガスを供給するガス供給路に介設され、ケーシングに形成されたシリンダ部に進退自在に保持された状態でシリンダ部の軸線方向に沿って進退することによりガスバーナへのガスの供給量を増減するニードル弁と、このニードル弁に上記軸線に対して直角方向に突設した係合ピンを先端がケーシングに形成したスリット部を通って外部に突出するように設け、この係合ピンの先端に操作レバーを係合させて、操作レバーを操作することによりピンを介してニードル弁を進退させるようにした火力調節部を備えた火力調節装置において、上記スリット部が上方に向かって開口するようにニードル弁を水平に保持させ、ニードル弁を挟んでスリット部の下方に位置するようにケーシングを貫通するドレン部を設け、ニードル部に進入した煮こぼれ等の液体がドレン部からケーシング外に流出するようにしたことを特徴とする火力調節装置。
【請求項２】
上記スリット部はニードル弁の挿入方向に対して後方に開口しており、上記ドレン部はこのスリット部と同一の形状に形成されていることを特徴とする請求項１に記載の火力調節装置。
【請求項３】
上記係合ピンはニードル弁を貫通して、他端がドレン部を通ってケーシング外に突出していることを特徴とする請求項１または請求項２に記載の火力調節装置。
【請求項４】
ニードル弁が最大火力位置である後退端まで移動した状態で、スリット部より先端側に位置して、上記液体がニードル弁の先端側に回り込むことを防止する鍔部をニードル弁の全周にわたって形成したことを特徴とする請求項１から請求項３のいずれかに記載された火力調節装置。
【請求項５】
上記シリンダ部の開口部から上記スリット部を含む所定範囲を他の部分より大径に形成し、他の部分とこの大径部分との間に段部を形成すると共に、ニードル弁の先端に段部を形成し、ニードル弁をシリンダ部に挿入する際に、シリンダ部の段部にニードル弁の段部が当接した状態で、ケーシングの外側に位置するようにシール部材をニードル弁の外周に取り付けたことを特徴とする請求項１から請求項４のいずれかに記載の火力調節装置。
【発明の詳細な説明】
【技術分野】
【０００１】
本発明は、ニードル弁を備え、バーナの火力を調節する火力調節装置に関する。
【背景技術】
【０００２】
ガスコンロのようにガスバーナを備えているガス器具では、ガスバーナへのガスの供給量を増減して火力を調節するための火力調節装置を備えている。この火力調節装置として、ガスの供給路にニードル弁を設け、ガスの供給量を少なくして火力を弱くする際には、ニードル弁の先端でガスの供給路を狭くし、逆にガスの供給量を多くして火力を強くする場合には、ニードル弁を後退させてガスの供給路を広げている。
【０００３】
このように火力を調節するためにニードル弁を進退させる必要があるが、このニードル弁の進退をレバーを介して手動で行うものがある（例えば、特許文献１参照）。このものでは、ニードル弁の後端部分近傍に係合ピンを取り付け、ケーシングに設けたスリット部を通して係合ピンの先端をケーシングの外部に突出させる。一方レバーには係合ピンの先端に係合してピンを移動させるカムが形成されており、レバーを揺動させると係合ピンがスリット部内を移動し、これによりニードル弁が進退するように構成されている。
【０００４】
ニードル弁は上下に進退するように設置しても良いが、火力調節装置の上下寸法を短くするため、水平方向に進退するように設置される場合がある。そして、このように水平方向に設置される場合には、スリット部は上方に開口するように設けられる。
【先行技術文献】
【特許文献】
【０００５】
【特許文献１】特開平８−３０３７５７号公報（図４）
【発明の概要】
【発明が解決しようとする課題】
【０００６】
ガスバーナで調理をする際に煮こぼれや吹きこぼれ等の液体がガス器具内部に進入し、さらに火力調節装置にかかる場合が生じる。上述の従来のガス装置では、火力調節装置のスリット部が上方に向かって開口しているので、スリット部内に液体が侵入しやすい。このような液体は比較的粘性が高い場合があり、また塩分などを含んでおり、スリット部内に溜まるとニードル弁を腐食させるなどの不具合が生じる。
【０００７】
そこで本発明は、上記の問題点に鑑み、スリット部が上方に開口していても液体の進入による不具合が生じない火力調節装置を提供することを課題とする。
【課題を解決するための手段】
【０００８】
上記課題を解決するために本発明による火力調節装置は、ガスバーナへガスを供給するガス供給路に介設され、ケーシングに形成されたシリンダ部に進退自在に保持された状態でシリンダ部の軸線方向に沿って進退することによりガスバーナへのガスの供給量を増減するニードル弁と、このニードル弁に上記軸線に対して直角方向に突設した係合ピンを先端がケーシングに形成したスリット部を通って外部に突出するように設け、この係合ピンの先端に操作レバーを係合させて、操作レバーを操作することによりピンを介してニードル弁を進退させるようにした火力調節部を備えた火力調節装置において、上記スリット部が上方に向かって開口するようにニードル弁を水平に保持させ、ニードル弁を挟んでスリット部の下方に位置するようにケーシングを貫通するドレン部を設け、ニードル部に進入した煮こぼれ等の液体がドレン部からケーシング外に流出するようにしたことを特徴とする。
【０００９】
スリット部内に液体が侵入するとドレン部を通ってケーシング外に流出するようにしたので、液体がスリット部内に長時間滞留することがないためニードル弁を腐食することがない。
【００１０】
ところで、ドレン部は特定の形状でなくてもよいが、上記スリット部はニードル弁の挿入方向に対して後方に開口しており、上記ドレン部はこのスリット部と同一の形状に形成すれば、スリット部を形成する際に同一工程でドレン部を形成することができる。
【００１１】
また、上記係合ピンはニードル弁を貫通して、他端がドレン部を通ってケーシング外に突出させておけば、液体がドレン部内に留まって固化してドレン部を閉塞しようとしても係合ピンがドレン部内を移動するので、ドレン部の閉塞を防止することができるため火力調節がスムーズにでくる。
【００１２】
さらに、ニードル弁が最大火力位置である後退端まで移動した状態で、スリット部より先端側に位置して、上記液体がニードル弁の先端側に回り込むことを防止する鍔部をニードル弁の全周にわたって形成することが望ましい。
【００１３】
ニードル弁の外周にはＯリング等のシール部材が取り付けれているが、ニードル弁をシリンダ部に挿入する際にシール部材が傷つかないようにする必要がある。そこで、上記シリンダ部の開口部から上記スリット部を含む所定範囲を他の部分より大径に形成し、他の部分とこの大径部分との間に段部を形成すると共に、ニードル弁の先端に段部を形成し、ニードル弁をシリンダ部に挿入する際に、シリンダ部の段部にニードル弁の段部が当接した状態で、ケーシングの外側に位置するようにシール部材をニードル弁の外周に取り付けることが望ましい。
【発明の効果】
【００１４】
以上の説明から明らかなように、本発明は、スリット部内に侵入した液体がドレン部を通って直ちにケーシング外に流出するので、液体がニードル弁に固着するなどの現象を回避することができ、したがって、ニードル弁が液体で腐食するなどの不都合が生じない。
【図面の簡単な説明】
【００１５】
【図１】本発明の一実施の形態の構成を示す図
【図２】係合ピンの下端近傍を示す図
【図３】ニードル弁の挿入時の状態を示す図
【図４】ドレン部の他の形状を示す図
【発明を実施するための形態】
【００１６】
図１を参照して、１は本発明による火力調節装置であり、点消火ボタン２の押し操作により開弁される電磁安全弁１１と、元弁１２とが直列に設けられている。これら電磁安全弁１１および元弁１２が開弁すると、ガスは火力調節部１０に流れる。
【００１７】
この火力調節部１０は鋳造製のケーシング４を有している。このケーシング４内にガスの供給路が形成されており、そのガス供給路に連結するシリンダ部４１が設けられている。このシリンダ部４１にはニードル弁３が進退自在に保持されている。ニードル弁３の外周面にはシール部材であるＯリング３４が取り付けられており、機械加工により面粗度が上げられたシリンダ部４１の内周面とＯリング３４とでシールを行い、ニードル弁３が前後に移動してもガスが外部に漏出しないように構成されている。
【００１８】
シリンダ部４１にはニードル弁３が図において右側から挿入されるが、シリンダ部４１の挿入方向後方、すなわち右側には大径部４２が形成されている。そして、図２に示すように、この大径部４２に上下に貫通するスリット状の溝を形成した。この溝のうち、大径部４２の上部に位置するものがスリット部４３で、下部に位置するものがドレン部４４である。
【００１９】
ニードル弁３には上下方向に貫通する係合ピン３１が設けられており、スリット部４３およびドレン部４４に係合ピン３１が各々嵌っている。係合ピン３１の上下端は共にケーシング４から突出している。上端は火力調節用の操作レバー５に係合している。この操作レバー５には、図示しないカムが形成されており、操作レバー５を揺動させると係合ピン３１がカムによって前後方向に移動される。その結果、ニードル弁３が進退して図外のガスバーナに供給されるガスの流量が増減される。なお、係合ピン３１の下端はケーシング４から突出させることが望ましいが、本実施の形態では、係合ピン３１の下端にカム板２１を係合させた。このカム板２１は点消火ボタン２を押し操作する際に揺動され、点火時に火力が中火以上になるようにニードル弁３を移動させるためのものである。
【００２０】
ニードル弁３の後端部分は大径部４２に合わせて大径に形成したが、溝部３２を介して鍔部３３を設けた。この鍔部３３はニードル弁が強火に対応する後端位置まで後退した状態でもスリット部４３よりも先端側に位置するように形成されている。したがって、スリット部４３から煮こぼれ等の液体が進入しても鍔部３３で堰き止められ、液体がシリンダ部４１側に回り込まないようにした。
【００２１】
また、溝部３２を形成したことにより、大径部４２と溝部３２との間に環状の空間３２ａが形成される。そのため、スリット部４３に進入した液体は図１に示す矢印Ａのようにこの空間３２ａを通ってドレン部４４へと流れ落ち、さらにドレン部４４を通ってケーシング４から流出する。これにより、スリット部４３内に液体が進入しても、ケーシング４内に液体が滞留することがない。
【００２２】
ところで、シリンダ部４１はＯリング３４が摺動するため、上述のように機械加工を施して滑らかに表面処理しているが、大径部４２は機械加工をするとコストが高くなる。また、スリット部４３やドレン部４４が形成されているため、内周面にエッジが形成される。そのため、ニードル弁３をシリンダ部４１に挿入する際に、Ｏリング３４が大径部４２の内周面に接すると、Ｏリング３４に傷が付くおそれがある。
【００２３】
そこで、図３に示すように、シリンダ部４１と大径部４２との間に段部４５を形成すると共にニードル弁３の先端に段部３５を形成した。ニードル弁３をシリンダ部４１に挿入する際に、ニードル弁３の中心軸線とシリンダ部４１の中心軸線とが一致しておれば、Ｏリング３４が大径部４２の内周面に接触するおそれはなく、またその状態であれば段部３５が段部４５に当たることはない。Ｏリング３４が大径部４２の内周面に接触するほど偏心してニードル弁３が挿入されると、段部３５が段部４５に引っ掛かって、図３(ａ)に示すようにニードル弁３をそれ以上挿入できなくなる。この状態で、Ｏリング３４が大径部４２より外側に位置するようにＯリング３４の位置を設定した。
【００２４】
ニードル弁３の偏心量を小さくして段部３５が段部４５から外れれば、ニードル弁３はさらに挿入することができ、またその状態ではＯリング３４が大径部４２の内周面に接触することがないので、Ｏリング３４が傷付くことが防止される。
【００２５】
ところで、上記の実施の形態では、スリット部４３とドレン部４４とを同一の形状にしたが、これはスリット部４３を機械加工する際にドレン部４４も同時に機械加工することにより加工工数を抑えるためである。ただし、ドレン部４４は液体を流出させればよいので、必ずしもスリット部４３と同一の形状である必要はない。例えば、図４に示すように、右側端部が外部に開放しない長穴４６をドレン部としても良い。また、ドレン部４６の幅寸法は係合ピン３１に合わせる必要はなく、図４に示すように、係合ピン３１の直径よりも大幅に幅を広くしても良い。ただし、係合ピン３１がドレン部４４，４６を貫通していることにより、液体が固化してドレン部４４，４６が塞がれることを、係合ピン３１が防止している。すなわち、火力調節毎にニードル弁３が前後するが、その際係合ピン３１も同時に移動するので、ドレン部４４，４６は常に係合ピン３１によって貫通か確保されることになる。
【００２６】
なお、本発明は上記した形態に限定されるものではなく、本発明の要旨を逸脱しない範囲内において種々の変更を加えてもかまわない。
【符号の説明】
【００２７】
１  火力調節装置
１０  火力調節部
３  ニードル弁
３１  係合ピン
３３  鍔部
３４  Ｏリング
４  ケーシング
４３  スリット部
４４  ドレン部
４６  ドレン部
【図１】
2010203656.tif 000003
【図２】
2010203656.tif 000004
【図３】
2010203656.tif 000005
【図４】
2010203656.tif 000006